(57)【要約】【課題】筆記芯の回転駆動機構を備えたシャープペンシルユニットを一つの筆記体として備えた複式筆記具において、ユニットに撓みを与えて筆記芯の回転動作を妨げるという問題を解消すること。【解決手段】複数の筆記体のうちの一つの筆記体は、シャープペンシルユニット１１であり、当該シャープペンシルユニットは、筆記動作に伴い筆記芯が受ける筆記圧による筆記芯の後退動作、および筆記圧の解除による筆記芯の前進動作を受けて回転子を一方向に回転駆動させる回転駆動機構１１ｄが備えられ、前記回転子の回転運動を前記筆記芯に伝達させるように構成されている。前記シャープペンシルユニット１１は、軸筒１の軸中心部に配設されると共に、先端筆記部１１ａは軸筒の軸中心部を通る線上に形成された先口２ａより繰り出されるように構成されている。【選択図】図４
2013018175.tif 000002
【特許請求の範囲】
【請求項１】
軸筒内に複数の筆記体が収容され、前記軸筒の先端部に形成された先口より、いずれか一つの筆記体の先端筆記部を繰り出すことができる複式筆記具であって、
前記複数の筆記体のうちの少なくとも一つの筆記体は、シャープペンシルユニットであり、当該シャープペンシルユニットは、筆記動作に伴い筆記芯が受ける筆記圧による筆記芯の後退動作、および筆記圧の解除による筆記芯の前進動作を受けて回転子を一方向に回転駆動させる回転駆動機構が備えられ、前記回転子の回転運動を前記筆記芯に伝達させるように構成され、
かつ前記シャープペンシルユニットは、前記軸筒の軸中心部に配設されると共に、前記シャープペンシルユニットの先端筆記部は、軸筒の軸中心部を通る線上に形成された先口より繰り出されるように構成したことを特徴とする複式筆記具。
【請求項２】
前記シャープペンシルユニットは、前記軸筒の後端部に配置されたノック棒を押し込み操作することで、先端筆記部が前記軸筒に形成された先口から繰り出され、前記軸筒の外周部に配置された解除ボタンを操作することで、先端筆記部が前記軸筒内に収容されるように構成したことを特徴とする請求項１に記載された複式筆記具。
【発明の詳細な説明】
【技術分野】
【０００１】
この発明は、複数の筆記体を軸筒内に収容し、いずれかの筆記体の先端筆記部を軸筒の先口より繰り出すことができる複式筆記具に関し、特に筆記体の一つにシャープペンシルを用いた複式筆記具に関する。
【背景技術】
【０００２】
軸筒中に複数の筆記体を収容し、所定の繰り出し操作により、軸筒の先口からいずれか一つの筆記体の先端筆記部を繰り出す構造の複式筆記具が提供されている。
この複式筆記具には、シャープペンシル筆記体（以下、シャープペンシルユニットともいう。）と、インク色の異なった複数本のボールペン筆記体（以下、ボールペンユニットともいう。）が軸筒内に収容され、これらが選択的に利用できるように構成されている例が多い。
【０００３】
ところで、筆記体の一つとして利用される前記シャープペンシルユニットは、書き進むにしたがって筆記芯が偏摩耗するために、書き始めに対して描線が除々に太くなるという現象が発生する。また描線の太さが変わるだけでなく、筆記面に対する筆記芯の接触面積が変わるために、書き進むにしたがって描線の濃さも変化する（描線がうすくなる）現象も発生する。
そこで、本件出願人は前記した課題を解決すために筆記動作に応じて筆記芯が回転するシャープペンシルについて提案をしており、これは特許文献１に開示されている。
【０００４】
この特許文献１に開示されたシャープペンシルによると、筆記動作に伴い筆記芯が受ける筆記圧による筆記芯の僅かな後退動作、および筆記圧の解除による筆記芯の僅かな前進動作を受けて回転子を一方向に回転駆動させる回転駆動機構が備えられ、前記回転子の回転運動を前記筆記芯に伝達させるようにした構成が採用されている。
【０００５】
このような回転駆動機構を備えたシャープペンシルを、前記した複式筆記具において１つのユニットとして用いようとした場合には、一般的な複式筆記具の構成においては、軸筒からのシャープペンシルユニットの繰り出し時に、シャープペンシルユニットが撓んで（曲がって）繰り出されることになる。
このために、前記したように筆記芯の回転駆動機構を備えるシャープペンシルユニットにおいては、軸筒からの繰り出される際の撓みを受けて、回転駆動機構に対して軸線に直交する方向に不要な応力が加わり、筆記芯の回転動作に不具合が生ずるという問題が招来される。
【０００６】
ところで、特許文献２および特許文献３には、軸筒の先端部に形成される先口の位置を軸中心から偏心させて、シャープペンシルユニットを曲げずに、その先端筆記部を繰り出すことができるように構成した複式筆記具が開示されている。
そこで、特許文献２および特許文献３に開示された複式筆記具の例を採用すれば、ユニットを曲げずに軸筒の先口から先端筆記部を繰り出すことができるので、シャープペンシルユニットに備えた回転駆動機構に不具合をもたらす問題を解消することができる。
【先行技術文献】
【特許文献】
【０００７】
【特許文献１】国際公開ＷＯ２００７／１４２１３５号パンフレット
【特許文献２】国際公開ＷＯ２０１０／０２４３４６号パンフレット
【特許文献３】実開平１−８５０９２号公報
【発明の概要】
【発明が解決しようとする課題】
【０００８】
しかしながら、特許文献２および特許文献３に開示された複式筆記具によると、軸筒から繰り出される先端筆記部が、軸中心から偏心しているので、軸筒から繰り出された先端筆記部の位置は軸筒の握り位置に応じて変化する。このために、軸筒の握り位置に応じて筆感が変わり、常に快適な筆感を得ることができない。
【０００９】
この発明は、前記した技術的な背景に基づいてなされたものであり、特に筆記芯の回転駆動機構を備えたシャープペンシルユニットを少なくとも一つの筆記体として備えた複式筆記具について、シャープペンシルユニットを選択した時にユニットに撓みを与えて筆記芯の回転動作を妨げるという問題を解消すると共に、シャープペンシルユニットの先端筆記部の位置が軸筒の握り位置に応じて変化することがなく、快適な筆感を得ることができる複式筆記具を提供することを課題とするものである。
【課題を解決するための手段】
【００１０】
前記した課題を解決するためになされたこの発明に係る複式筆記具は、軸筒内に複数の筆記体が収容され、前記軸筒の先端部に形成された先口より、いずれか一つの筆記体の先端筆記部を繰り出すことができる複式筆記具であって、前記複数の筆記体のうちの少なくとも一つの筆記体は、シャープペンシルユニットであり、当該シャープペンシルユニットは、筆記動作に伴い筆記芯が受ける筆記圧による筆記芯の後退動作、および筆記圧の解除による筆記芯の前進動作を受けて回転子を一方向に回転駆動させる回転駆動機構が備えられ、前記回転子の回転運動を前記筆記芯に伝達させるように構成され、かつ前記シャープペンシルユニットは、前記軸筒の軸中心部に配設されると共に、前記シャープペンシルユニットの先端筆記部は、軸筒の軸中心部を通る線上に形成された先口より繰り出されるように構成したことを特徴とする。
【００１１】
この場合、好ましい形態においては、前記シャープペンシルユニットは、前記軸筒の後端部に配置されたノック棒を押し込み操作することで、先端筆記部が前記軸筒に形成された先口から繰り出され、前記軸筒の外周部に配置された解除ボタンを操作することで、先端筆記部が前記軸筒内に収容されるように構成される。
【発明の効果】
【００１２】
前記した構成の複式筆記具によると、回転駆動機構を備えたシャープペンシルユニットは、軸筒の軸中心部に配設されると共に、先端筆記部は軸筒の軸中心部を通る線上に形成された先口より繰り出されるように構成したので、シャープペンシルユニットを選択した時にユニットに撓みを与えて筆記芯の回転動作を妨げるという問題を解消することができる。
また、シャープペンシルユニットにおける先端筆記部の位置が、軸筒の握り位置に応じて変化することはなく、常に快適な筆感を得ることができる複式筆記具を提供することができる。
【図面の簡単な説明】
【００１３】
【図１】この発明に係る複式筆記具の第１の実施の形態について、外観構成を示した斜視図である。
【図２】図１に示す第１の実施の形態について、外観構成を示した側面図および縦断面図である。
【図３】図２に示す状態に対して軸回りに９０度回転させた状態の外観構成を示した側面図および縦断面図である。
【図４】第１の実施の形態について、シャープペンシルユニットおよびボールペンユニットの繰り出し状態をそれぞれ示した縦断面図である。
【図５】シャープペンシルユニットにおいて用いられるノック棒とロック部材の作用を説明する断面図である。
【図６】ロック部材の単体構成を示した拡大斜視図である。
【図７】シャープペンシルユニットに搭載された回転駆動機構の外観構成を示した側面図および一部断面図である。
【図８】同じく回転駆動機構の一部を破断して示した斜視図である。
【図９】この発明に係る複式筆記具の第２の実施の形態について、外観構成を示した側面図および縦断面図である。
【図１０】図９に示す状態に対して軸回りに９０度回転させた状態の外観構成を示した側面図および縦断面図である。
【発明を実施するための形態】
【００１４】
この発明に係る複式筆記具の第１の実施の形態について、図１〜図８に基づいて先に説明し、第２の実施の形態については、図９および図１０に基づいて後で説明する。
なお、第１および第２の実施の形態は、いずれも筆記芯の回転駆動装置を備えた１つのシャープペンシルユニット、インク色の異なる２つのボールペンユニットをそれぞれ軸筒内に収容した複式筆記具を例示している。
そして、以下に示す各図においては、同一部分を同一符号で示しているが、紙面の都合により一部の図面においては、代表的な部分に符号を付け、その詳細な構成はその他の各図面に付けた符号を引用して説明する場合もある。
【００１５】
図１に示したように複式筆記具の外郭を構成する軸筒１の前端部には、例えば合成樹脂により円錐形状に成形されたクチプラ２が螺着されている。このクチプラ２の先端部には先口２ａが開口されており、この先口２ａを介して前記シャープペンシルユニットもしくはボールペンユニットの先端筆記部が選択的に繰り出されるように構成されている。
【００１６】
図１（Ａ）は、先口２ａからはいずれのユニット（筆記体）も繰り出されていない未使用の状態を示しており、図１（Ｂ）は、軸筒の後端部に配置されたノック棒１９を軸方向に押し込むことで、シャープペンシルユニットの先端筆記部が前記先口２ａから繰り出された状態を示している。
また、図１（Ｃ）は、軸筒の周側面に配置された１つのスライドノブ１２ｃを軸方向の前方にスライド操作することで、１つのボールペンユニットの先端筆記部（ボールペンチップ）が前記先口２ａから繰り出された状態を示している。
【００１７】
図２および図３は、複式筆記具を軸回りに９０度回転させた状態について、それぞれ側面図および縦断面図で示したものであり、軸筒１内には前記したとおり、シャープペンシルユニット１１、インク色の異なる２つのボールペンユニット１２，１３が収容されている。
これらのシャープペンシルユニット１１、インク色の異なる２つのボールペンユニット１２，１３は、軸筒１内のほぼ中央部に取り付けられたユニット支持部材１５に穿設された貫通孔内にそれぞれ軸方向に移動可能となるように装着されている。
【００１８】
前記シャープペンシルユニット１１は、図２に示されているように外周がほぼ真円形状に形成された軸筒１の軸中心部に配設されており、その先端筆記部１１ａより筆記芯が出没可能となるように構成されている。また、前記先端筆記部１１ａの僅かに後方寄りには、前記筆記芯を把持する周知のチャック機構１１ｂが装着されている。
シャープペンシルユニット１１の後端部には、芯ケースを兼ねる中継パイプ１１ｃを介して回転駆動機構１１ｄが取り付けられており、この回転駆動機構１１ｄは軸筒１内の後半部に取り付けられたガイド筒１６内を摺動可能となるように収容されている。なお、前記回転駆動機構１１ｄの構成および作用については、後で説明する。
【００１９】
前記ユニット支持部材１５と回転駆動機構１１ｄとの間には、コイル状のリターンバネ１７が中継パイプ１１ｃを捲装するようにして配置されており、このリターンバネ１７の作用により、前記シャープペンシルユニット１１は軸筒１内を後退する方向に付勢されている。
さらに、前記回転駆動機構１１ｄの後方には、ノック棒１９が前記ガイド筒１６内を摺動可能となるように収容されており、ノック棒１９に形成された内部空間１９ａ内には、バネ機能を有するロック部材２０が収容されている。
【００２０】
このロック部材２０の構成および作用については後で説明するが、前記ロック部材２０は前記ノック棒１９を軸方向に押し込んだ状態を保持し、ロック部材２０と一体に形成された解除ボタン２０ａを操作することで保持状態が解除されるように構成されている。
【００２１】
図３に示されているように、前記軸筒１の軸中心部に配設されたシャープペンシルユニット１１を軸対称として、このシャープペンシルユニット１１の左右に、インク色が異なる第１と第２のボールペンユニット１２，１３が配置されている。
このボールペンユニット１２，１３は、周知のとおり先端筆記部１２ａ，１３ａとして、それぞれボールペンチップが用いられ、インク収容筒１２ｂ，１３ｂの先端部に取り付けられている。
【００２２】
前記インク収容筒１２ｂ，１３ｂの後端部には、それぞれスライドノブ１２ｃ，１３ｃが取り付けられており、このスライドノブ１２ｃ，１３ｃは、軸筒１の周側面に軸方向に沿って形成されたスリット孔を介して軸筒１の外側に一部が突出するようにして配置されている。
また、第１と第２のボールペンユニット１２，１３は、前記したとおりユニット支持部材１５に穿設された貫通孔内にそれぞれ軸方向に移動可能となるように装着されており、前記ユニット支持部材１５とスライドノブ１２ｃ，１３ｃとの間にインク収容筒１２ｂ，１３ｂを捲装するようにして、コイル状のリターンバネ２２，２３が配置されている。
そして、前記リターンバネ２２，２３の作用により、前記ボールペンユニット１２，１３は軸筒１内を後退する方向に付勢されている。
【００２３】
図４（Ａ）は、前記したノック棒１９を軸方向に押し込み、シャープペンシルユニット１１の先端筆記部１１ａが先口２から繰り出された状態を示している。
この状態において、ノック棒１９を軸方向にノック操作すると、回転駆動機構１１ｄおよび中継パイプ１１ｃを介してチャック機構１１ｂにノック操作が伝達される。
前記チャック機構１１ｂには、特に符号は付けていないが、先端部が例えば３分割されて筆記芯の通孔を備えたチャック本体、チャック本体の周囲を取り巻くように配置された円環状の締め具、チャック本体の前方に配置され、筆記芯を一時的に保持するゴム製の保持チャック等が具備されている。
【００２４】
前記した構成によって、前記ノック棒１９のノック操作を受けて、チャック機構１１ｂを構成するチャック本体は前後動し、これによりチャック本体は筆記芯の解除と把持が繰り返され、これにゴム製の保持チャックによる筆記芯の一時的な保持作用が加わって、筆記芯は順次前方に繰り出されるように作用する。
また周知のとおり、ノック棒１９をノックした状態にして筆記芯を指先等で押すことで、筆記芯を先端筆記部１１ａ内に戻すことができる。
これにより図に示す複式筆記具は、シャープペンシルユニットを用いた筆記動作を行うことができる。
【００２５】
次に図４（Ｂ）は、第１のボールペンユニット１２を利用する状態を示している。
前記した図４（Ａ）に示す状態から、図４（Ｂ）に示す第１のボールペンユニット１２を利用する状態に切り換えるには、前記したロック部材２０に形成された解除ボタン２０ａを操作して、シャープペンシルユニット１１をリターンバネ１７の作用により軸筒１内に戻す動作を実行する。
この状態においてスライドノブ１２ｃを前方にスライドする操作により、第１のボールペンユニット１２の先端筆記部１２ａは先口２より繰り出され、ボールペンユニットによる筆記動作を行うことができる。
【００２６】
なお、図には示されていないが、第１のボールペンユニット１２を利用する状態においては、前記スライドノブ１２ｃの一部がガイド筒１６の一部に係合して、ボールペンユニット１２の先端筆記部１２ａが先口２より繰り出された状態を維持するようになされる。
【００２７】
また、図４（Ｂ）に示す状態において、さらに第２のボールペンユニット１３に切り換えて利用しようとする場合には、スライドノブ１３ｃを軸方向の前方にスライド操作する初期の状態において、第１のボールペンユニット１２のスライドノブ１２ｃはガイド筒１６への係合が外され、第１のボールペンユニット１２はリターンバネ２２の作用により軸筒１内に後退する。
続いて第２のボールペンユニット１３におけるスライドノブ１３ｃの軸方向前方へのスライド操作により、図４（Ｂ）に示した例と同様に第２のボールペンユニット１３を利用することができる。
【００２８】
図５および図６は、前記シャープペンシルユニット１１を利用する場合に用いられる前記したノック棒１９とバネ機能を有するロック部材２０との関係を示したものである。
前記したとおりロック部材２０はノック棒１９に形成された内部空間１９ａ内に収容されて、ノック棒１９の押し込み状態を保持すると共に、解除ボタン２０ａの操作よりノック棒１９の押し込み状態を解除するようになされる。これはシャープペンシルユニット１１を利用するか否かの選択動作に利用される。
【００２９】
図６に、ロック部材２０の単体構成を拡大して示している。このロック部材２０は、例えば合成樹脂により一体成形されており、中央に折り曲げ部２０ｂが施されることでＵ字状に形成され、前記折り曲げ部２０ｂを介して同方向に延びる第１脚部２０ｃおよび第２脚部２０ｄを有している。
そして、第１脚部２０ｃにおける折り曲げ部２０ｂに近接する位置には、前記した解除ボタン２０ａが突出して形成されている。
また、前記第１脚部２０ｃの先端部は係止端部２０ｅを構成しており、前記第２脚部２０ｄの先端部には横向きに円弧状凸部２０ｆが形成されている。
【００３０】
前記した構成のロック部材２０が装着されたノック棒１９の基本構成が図５に示されており、前記ロック部材２０に形成された解除ボタン２０ａが軸筒１に形成された通孔を貫通して軸筒１の外側に突出している。
したがって、図５においては解除ボタン２０ａを線Ｌ上に位置させた状態でノック棒１９が押し込まれた状態および解除された状態が示されている。
【００３１】
図５に示すようにノック棒１９には、これに形成された内部空間１９ａに向かってせり上る傾斜面１９ｂが形成されており、この傾斜面１９ｂに続いて係合部１９ｃが、軸に直交する方向に形成されている。
したがって、図５の上半部に示された状態において、ノック棒１９を図の左方向に向かって押し込むことでロック部材２０の第１脚部２０ｃは、ノック棒１９傾斜面１９ｂに沿ってせり上る。このときロック部材２０の第２脚部２０ｄに形成された円弧状凸部２０ｆはガイド筒１６の内周面に沿って摺動する。
【００３２】
そして、ノック棒１９の押し込みストロークの終端部に至ると、図５の下半部に示されたように、ロック部材２０の係止端部２０ｅがノック棒１９側の係合部１９ｃに入り込み、これによりノック棒１９は押し込み状態で保持（ロック）される。これにより、図４に示すようにシャープペンシルユニット１１が利用可能な状態となる。
【００３３】
この図４に示す状態において、ロック部材２０と一体の解除ボタン２０ａを軸中心方向に押し込むことで、図６に示す第１脚部２０ｃが内側に変形し、ノック棒１９側の係合部１９ｃに係合していた係止端部２０ｅは、その係止が外れる。
これにより、図２に示すようにリターンバネ１７の作用により、前記シャープペンシルユニット１１は軸筒１内を後退し、ノック棒１９の押し込み状態は解除される。
【００３４】
次に図７および図８は、シャープペンシルユニット１１に具備された回転駆動機構１１ｄの構成を示したものである。
この回転駆動機構１１ｄは、円筒状に形成されたシリンダー部材２２内に、１つのユニットとして構成されており、図７（Ａ）に示すようにシリンダー部材２２の軸方向の一端部に連結シャフト２３ｃが突出している。この連結シャフト２３ｃに対して、図４（Ａ）に示すように中継パイプ１１ｃが嵌合されて連結され、これにより回転駆動機構１１ｄを具備したシャープペンシルユニット１１を構成している。
【００３５】
前記回転駆動機構１１ｄ内には回転子２３が具備され、前記したチャック機構１１ｂに把持された筆記芯が受ける筆記圧による軸方向の僅かな後退動作および筆記圧の解除による軸方向の僅かな前進動作（以下、これをクッション動作ともいう。）を受けて前記回転子２３を一方向に回転駆動させるように作用する。
【００３６】
前記回転子２３は円柱状に形成されており、その軸方向の一端面には第１のカム面２３ａが形成され、他端面には第２のカム面２３ｂが形成されている。
そして、前記回転子２３における第１のカム面２３ａに対峙するようにして、第１の固定カム面２４が配置され、第２のカム面２３ｂに対峙するようにして、第２の固定カム面２５が配置されている。
【００３７】
前記回転子２３に形成された第１カム面２３ａおよび第２カム面２３ｂには、周方向に沿って連続的に鋸歯状になされたカムが形成されており、また前記第１の固定カム面２４および第２の固定カム面２５にも周方向に沿って連続的に鋸歯状になされたカムが形成されている。
そして、回転子２３に形成された第１カム面２３ａ、第２カム面２３ｂ、第１固定カム面２４、第２固定カム面２５に鋸歯状に形成された各カムは、そのピッチが互いにほぼ同一となるように構成されている。
【００３８】
一方、前記回転子２３の後方には円筒状に形成されて軸方向に移動可能なトルクキャンセラー２６が配置され、当該トルクキャンセラー２６の内周面前端と前記シリンダー部材２２の後端部内面との間にはコイル状のクッションスバネ２７が装着されている。
前記クッションバネ２７は、前記トルクキャンセラー２６を前方に押し出すように付勢し、この付勢力を受けた前記トルクキャンセラー２６に押されて前記回転子２３は前方に向かうように作用する。
【００３９】
ここで、図４（Ａ）に示したようにシャープペンシルユニット１１を利用する状態において、先端筆記部１１ａから突出している筆記芯に筆記圧が加わった場合には、前記チャック機構１１ｂ、中継パイプ１１ｃを介して回転子２３が僅かに押し込まれるように作用する。これに伴って回転子２３に形成された第１カム面２３ａは、前記第１固定カム面２４に接合して噛み合い状態になされる。
このとき、回転子２３は鋸歯状に形成されたカムの一歯の半ピッチに相当する回転駆動を受け、この回転作用は前記中継パイプ１１ｃ、チャック機構１１ｂを介して筆記芯を回転させる。
【００４０】
一方、筆記芯に対する筆記圧が解除された場合には、前記したクッションバネ２７の作用により、回転子２３は僅かに前進し、これに伴って回転子２３に形成された第２カム面２３ｂが前記第２固定カム面２５に接合して噛み合い状態になされる。このとき、回転子２３は鋸歯状に形成されたカムの一歯の半ピッチに相当する回転駆動を受け、この回転作用は前記中継パイプ１１ｃ、チャック機構１１ｂを介して筆記芯に伝達される。
【００４１】
前記した作用により、前記回転子２３は一方向に順次回転運動を受けて回転し、これに伴って筆記芯も同様に一方向に順次回転運動を受けることになる。
したがって、この発明に係る複式筆記具においてシャープペンシルユニット１１を利用した場合には、書き進むにしたがって描線が除々に太くなるという問題を解消することができ、書き進むにしたがって描線の濃さも変化する（描線がうすくなる）という問題も解消することができる。
【００４２】
なお、図４（Ａ）に示したようにシャープペンシルユニット１１を利用する状態においては、前記シャープペンシルユニット１１は、軸筒１の軸中心部に配設されると共に、先端筆記部１１ａは、軸筒１の軸中心部を通る線上に形成された先口２ａより繰り出されるように構成されている。
【００４３】
これにより、シャープペンシルユニット１１に撓みを与ることはなく、回転駆動機構１１ｄを含むシャープペンシルユニット１１における筆記芯の円滑な回転動作を保障することができる。加えて、シャープペンシルユニット１１は、軸筒１の軸中心部に配設されているので、軸筒の握り位置に応じて先端筆記部の位置が変化することがなく、快適な筆感を得ることができる。
【００４４】
図９および図１０は、この発明に係る複式筆記具の第２の実施の形態を示したものであり、複式筆記具を軸回りに９０度回転させた状態について、それぞれ側面図および縦断面図で示したものである。
なお、図９および図１０においては、すでに説明した図１〜図８に示す第１の実施の形態における各部と同一の機能を果たす部分を同一符号で示している。したがって、個々の構成および作用についての説明は適宜省略する。
【００４５】
この第２の実施の形態においては、すでに説明した第１の実施の形態に比較して、軸筒１が偏平状に形成されている。
そして、軸筒１の軸中心部には、回転駆動機構１１ｄを備えたシャープペンシルユニット１１が配設され、このシャープペンシルユニット１１を軸対称として、このシャープペンシルユニット１１の左右に、インク色が異なる第１と第２のボールペンユニット１２，１３が配置されている。
【００４６】
加えて、偏平状に形成された軸筒１の先端部には、先口３ａ〜３ｃがそれぞれ形成されて、前記シャープペンシルユニット１１の先端筆記部１１ａ、前記第１ボールペンユニット１２の先端筆記部１２ａ、前記第２ボールペンユニット１３の先端筆記部１３ａがそれぞれ、専用の先口３ａ〜３ｃから繰り出されるように構成されている。
【００４７】
なお、この第２の実施の形態において、シャープペンシルユニット１１に採用されたノック棒１９およびロック部材２０の構成は、すでに説明した図５および図６に示したものと同一構成のものが用いられ、また回転駆動機構１１ｄについても、すでに説明した図７および図８に示したものと同一構成のものが用いられている。
【００４８】
この第２の実施の形態によると、シャープペンシルユニット１１もしくは第１または第２のボールペンユニット１２〜１３のいずれを利用する場合においても、各ユニット１１〜１３に撓みを与ることはなく、特に回転駆動機構１１ｄを備えたシャープペンシルユニット１１においては、筆記芯の円滑な回転動作を保障することができる。
加えて、シャープペンシルユニット１１は、軸筒１の軸中心部に配設されているので、軸筒の握り位置に応じて先端筆記部の位置が変化することがなく、快適な筆感を得ることができるなど、前記した第１の実施の形態と同様の作用効果を期待することができる。
【符号の説明】
【００４９】
１                軸筒
３，３ａ〜３ｃ    先口
１１              シャープペンシルユニット
１１ａ            先端筆記部
１１ｂ            チャック機構
１１ｄ            回転駆動機構
１２              ボールペンユニット（第１ユニット）
１２ａ            先端筆記部（ボールペンチップ）
１２ｃ            スライドノブ
１３              ボールペンユニット（第２ユニット）
１３ａ            先端筆記部（ボールペンチップ）
１３ｃ            スライドノブ
１５              ユニット支持部材
１６              ガイド筒
１７，２２，２３  リターンバネ
１９              ノック棒
２０              ロック部材
２０ａ            解除ボタン
２３              回転子
２３ａ            第１カム面
２３ｂ            第２カム面
２４              第１固定カム面
２５              第２固定カム面
２６              トルクキャンセラー
２７              クッションバネ
【図１】
2013018175.tif 000003
【図２】
2013018175.tif 000004
【図３】
2013018175.tif 000005
【図４】
2013018175.tif 000006
【図５】
2013018175.tif 000007
【図６】
2013018175.tif 000008
【図７】
2013018175.tif 000009
【図８】
2013018175.tif 000010
【図９】
2013018175.tif 000011
【図１０】
2013018175.tif 000012